(57)【要約】【課題】本発明の目的は、発光体による表示性や装飾性を高めた太陽光発電装置を提供することにある。【解決手段】受光面側に光透過板を備えた太陽電池モジュールの内部に所定間隔で面状に配列された複数個の太陽電池素子と、隣接する前記太陽電池素子の間隙を通して前記太陽電池モジュールの受光面の方向に向けて発光するように配置された複数の発光体とを備えた太陽光発電装置であって、これらの発光体の照射光路上に光透過性の着色部材を介在させてなる。【選択図】図１
2005116833.tif 000002
【特許請求の範囲】
【請求項１】
受光面側に光透過板を備えた太陽電池モジュールの内部に所定間隔で面状に配列された複数個の太陽電池素子と、隣接する前記太陽電池素子の間隙を通して前記太陽電池モジュールの受光面の方向に向けて発光するように配置された複数の発光体とを備えた太陽光発電装置であって、これらの発光体の照射光路上に光透過性の着色部材を介在させてなる太陽光発電装置。
【請求項２】
前記発光体は、前記太陽電池モジュールの受光面と反対側の非受光面に配置されていることを特徴とする請求項１に記載の太陽光発電装置。
【請求項３】
前記着色部材は、前記光透過板上に備えられていることを特徴とする請求項１または２に記載の太陽光発電装置。
【請求項４】
前記着色部材は、前記太陽電池素子の間隙に備えられていることを特徴とする請求項１または２に記載の太陽光発電装置。
【請求項５】
前記着色部材は、前記発光体と前記非受光面との間に介在されていることを特徴とする請求項２に記載の太陽光発電装置。
【請求項６】
前記着色部材は、凸状レンズであることを特徴とする請求項１から５のいずれかに記載の太陽光発電装置。
【請求項７】
前記複数個の太陽電池素子は、マトリックス状に配列されていることを特徴とする請求項１から６のいずれかに記載の太陽光発電装置。
【請求項８】
前記複数個の太陽電池素子は、千鳥状に配列されていることを特徴とする請求項１から６のいずれかに記載の太陽光発電装置。
【請求項９】
前記太陽電池モジュールは、三角形状、矩形状、台形状もしくは多角形状であることを特徴とする請求項１から８のいずれかに記載の太陽光発電装置。
【請求項１０】
前記太陽電池モジュールは、円形もしくは楕円形であることを特徴とする請求項１から８のいずれかに記載の太陽光発電装置。
【請求項１１】
前記太陽電池モジュールと、この太陽電池モジュールを支持する枠体とを具備してなる請求項１から１０のいずれかに記載の太陽光発電装置。
【請求項１２】
前記発光体は、ＬＥＤであることを特徴とする請求項１から１１のいずれかに記載の太陽光発電装置。
【請求項１３】
前記発光体は、集光用の反射鏡を備えた無指向性の光源であることを特徴とする請求項１から１１のいずれかに記載の太陽光発電装置。
【発明の詳細な説明】
【技術分野】
【０００１】
本発明は複数個の太陽電池素子を面状に並べてなる太陽光発電装置に関し、とくにこれらの太陽電池素子にＬＥＤなどの発光体を配し、特に、表示性や装飾性を高めた太陽光発電装置に関するものである。
【背景技術】
【０００２】
一般的に太陽光発電装置は、住宅の屋根などに太陽電池アレイを配置し、太陽光のエネルギーを光電変換し、電力エネルギーを得るものである。
【０００３】
具体的な使用例を図１４と図１５により説明する。図１４は住宅１の屋根などに太陽光発電装置２を配置した場合を示し、図１５はこの太陽光発電装置２において、その太陽電池アレイ３を構成する個々の太陽電池モジュール４の概略の断面構造図である。同図の太陽光発電装置２によれば、太陽電池モジュール４を複数配設して太陽電池アレイ３とし、この太陽電池アレイ３で発電された電力を送電ケーブル５およびジャンクションボックス（接続箱）６を通して系統連系インバータ７へ送電する。
【０００４】
すなわち、太陽電池アレイ３は、複数枚の太陽電池モジュール４を直列に接続してストリングとし、このストリングを１列、もしくは２列以上集めて組み合わせ、必要な電力を得るようにしている。そして、送電ケーブル５の電線は、このようなストリングの数に応じて設けられ、互いにジャンクションボックス６で並列接続されて、太陽電池アレイ３で発電された直流電力を交流電力に変換する系統連系インバータ７に入力され、一般の交流負荷に供給したり、もしくは系統連系により電力会社へ売電したりすることができるようになっている。
【０００５】
図１５に示す太陽電池モジュール４の概略の断面構造図によれば、太陽電池素子８は、例えばシリコンなどからなる半導体の光電変換効果を利用して電力が得られるように構成したものであって、このような太陽電池素子８を複数個直列および並列に電気的に接続し、そして、耐候性のある素材で覆い、所要の出力電圧や出力電流を得る。
【０００６】
このような太陽電池モジュール４においては、太陽電池素子８の受光面にはガラス板や合成樹脂板などの光透過板９を配置し、その裏面である非受光面にはテフロン（R)フィルムやＰＶＦ（ポリフッ化ビニル）、ＰＥＴ（ポレエチレンテレフタレート）などの耐候性フィルム１０を被着し、そして、これらの光透過板９、太陽電池素子８および耐候性フィルム１０の重ね構造の矩形状の本体に対し、その各辺周囲をアルミニウムやＳＵＳなどからなる枠体１１を挟み込むように装着し、太陽電池モジュール４全体の強度を高めている。
【０００７】
また、太陽電池モジュール４の裏面には、すなわち耐候性フィルム１０の上にはＡＢＳ樹脂などの合成樹脂やアルミニウムなどの金属で構成したジャンクションボックス１２を接着し、太陽電池モジュール４の出力電力を取り出すターミナルとしている。
【０００８】
以上のとおり、一般的には太陽光発電装置２は、太陽光を電気に変換する発電用として用いられている。
【０００９】
これに対して、上述の太陽電池モジュールの内部に複数個の同形の太陽電池素子を並べた構成を利用し、一部の太陽電池素子の色を他の素子の色と異ならせて、太陽電池モジュール（または太陽電池アレイ）上に文字や模様を構築し、意匠性を備えさせる技術が提案されている。
【００１０】
また特許文献１によれば、夜間において視認できるように、受光面側にガラス板を配置し、その端部にＬＥＤを設け、そして、このＬＥＤによって太陽電池モジュールの受光面を発光させることも記載されている。図１６に特許文献１に記載された太陽電池モジュールの構造図を示す。なお、図１５に示す太陽電池モジュール４と同一箇所には同一符号を記す。この太陽電池モジュール１３においては、光透過板９の端面に向かってＬＥＤ１４を配置しており、その他の構成は図１５に示す太陽電池モジュール４と同じである。上記構成の太陽電池モジュール１３によれば、ＬＥＤ１４によって光透過板９の端面を照射して、太陽電池素子８に対し夜間、ライトアップができる。
【００１１】
その他、意匠性を備えた太陽電池モジュールではないが、ＬＥＤなどの発光体を太陽電池モジュールに組み込んだ公知技術を参考までに述べておく。特許文献２に示す安全警告灯は、省電力の発光ダイオ−ドと蓄電池とを組み合わせて、蓄電池からの電気を供給させ発光ダイオ−ドを発光させることが記載されている。また、特許文献３によれば、太陽電池モジュール内に発光体を組み込み、そして、太陽電池モジュールの故障が生じた場合に、その発光体の発光で故障を表示する。これにより、異常が生じている太陽電池モジュールを特定する作業が容易になり、多くの時間と労力を要せず正常発電へ迅速な回復をすることができるようになった。
【特許文献１】特開２００３−９２００８号公報
【特許文献２】実開平６−８６１８７号公報
【特許文献３】特開平９−１４８６１３号公報
【特許文献４】特開２００１−３２８８５０号公報
【発明の開示】
【発明が解決しようとする課題】
【００１２】
上述の太陽電池モジュールの内部の太陽電池素子の色を他の素子の色と異ならせて、太陽電池モジュール上に文字や模様を構築し、意匠性を備えるようにしたものは、太陽電池素子自体を外部から視認させることを目的としたものであるが、それ自体が発光するものではなく、夜間など外部からの認識が難しいという問題がある。さらに、太陽電池素子はもともと太陽光の反射を抑えるように構成されているのが常であり、仮に夜間に太陽電池素子そのものをライトアップしたとしても、外部から認識するのは難しい。
【００１３】
また上述の特許文献１の太陽電池モジュールは、受光面側のガラス板の端部にＬＥＤを設け、太陽電池素子そのものを夜間ライトアップする技術であって、より積極的に表示性や装飾性を高めたものではない。また、特許文献２や特許文献３に示されている技術は、ＬＥＤを単に信号を表示させるために用いるものであり、表示性や装飾性を高めるように工夫されたものではない。
【００１４】
本発明者は上記事情に鑑みて鋭意研究に努めた結果、複数個の太陽電池素子を面状に並べた太陽電池素子群に対し、さらにこれらの各太陽電池素子の間に発光体を配置すれば、個々の発光体の点灯に対し、その傍に配置した太陽電池素子群が背面となり、それらの点灯がより顕著になり、コントラストを高め、優れた表示性や装飾性が得られることを見出した。そしてさらに研究を重ね、発光体の照射光路上に光透過性の着色部材を備えるようにすることにより、より装飾性を高めることができる構成を見出すに至った。
【００１５】
本発明は上記知見により完成されたものであり、その目的は発光体による表示性や装飾性をより一層高めた太陽光発電装置を提供することにある。
【課題を解決するための手段】
【００１６】
本発明の請求項１にかかる太陽光発電装置は、受光面側に光透過板を備えた太陽電池モジュールの内部に所定間隔で面状に配列された複数個の太陽電池素子と、隣接する前記太陽電池素子の間隙を通して前記太陽電池モジュールの受光面の方向に向けて発光するように配置された複数の発光体とを備えた太陽光発電装置であって、これらの発光体の照射光路上に光透過性の着色部材を介在させてなる。このようにしたので、発光体の傍に配置した太陽電池素子群が背面となり、発光体の点灯をより顕著にしてコントラストを高める作用と装飾性を高める作用とを同時に高めることができる。
【００１７】
また、本発明の請求項２にかかる太陽光発電装置は、請求項１に記載の太陽光発電装置において、前記発光体は、前記太陽電池モジュールの受光面と反対側の非受光面に配置するようにしたので、発光体を容易に配置することができるとともに、風雨から防護した状態で装飾性を高めることができる。
【００１８】
さらに、本発明の請求項３にかかる太陽光発電装置は、請求項１または２に記載の太陽光発電装置において、前記着色部材は、前記光透過板上に備えるようにしたので、着色部材を容易に変更でき、同じ太陽電池モジュールを様々な用途に用いることができる。さらに、外部からの反射光などによって表示を容易に認識できる。
【００１９】
また、本発明の請求項４にかかる太陽光発電装置は、請求項１または２に記載の太陽光発電装置において、前記着色部材は、前記太陽電池素子の間隙に備えられるようにしたので、太陽電池素子の有する色との違いが顕著になり、外部からの認識が容易となる。
【００２０】
また、本発明の請求項５にかかる太陽光発電装置は、請求項２に記載の太陽光発電装置において、前記着色部材は、前記発光体と前記非受光面との間に介在されるようにしたので、発光体と着色部材との距離が近いことから、着色部材の大きさをより小さくすることができる。
【００２１】
そして本発明の請求項６にかかる太陽光発電装置は、請求項１から５のいずれかに記載の太陽光発電装置において、前記着色部材は、凸状レンズとしたので、発光体から出射される光を集光させて、より強い光として発光輝度を向上させる効果や、発光体の視野角を広げる効果を持たせることができる。
【００２２】
また本発明の請求項７あるいは請求項８にかかる太陽光発電装置は、請求項１から６にかかる太陽光発電装置において、複数個の太陽電池素子をマトリックス状に配列するか、複数個の太陽電池素子を千鳥状に配列するようにしたので、用途に応じて発光体を配置する位置を変えることができ、装飾性、表示性を容易に付与することができる。
【００２３】
そして本発明の請求項９あるいは請求項１０にかかる太陽光発電装置は、請求項１から８にかかる太陽光発電装置において、前記太陽電池モジュールが三角形状、矩形状、台形状もしくは多角形状または、円形もしくは楕円形としたので、その外観をさまざまな様相にし、装飾性や表示性を付与することができる。
【００２４】
さらに本発明の請求項１１にかかる太陽光発電装置は、請求項１から１０にかかる太陽光発電装置において、前記前記太陽電池モジュールとこの太陽電池モジュールとを支持する枠体を備えるようにしたので、太陽電池モジュールに強度が付与され、太陽電池モジュールのサイズが大きい場合にも、太陽電池モジュールが自重などでたわむことがない。
【００２５】
そして本発明の請求項１２にかかる太陽光発電装置は、請求項１から１１にかかる太陽光発電装置において、前記発光体は、ＬＥＤとしたので、低い電力かつ長寿命の発光体とすることができる。
【００２６】
また本発明の請求項１３にかかる太陽光発電装置は、請求項１から１１にかかる太陽光発電装置において、前記発光体は、集光用の反射鏡を備えた無指向性の光源としたので、発光体から放射された光を効率的に集光し、極めて明るい光とすることができる。
【発明の効果】
【００２７】
本発明の請求項１にかかる太陽光発電装置によれば、高い装飾性と高い視認性を有する太陽電池モジュールを形成することができ、特に、町中における広告などの用途において、好適な太陽電池装置を得ることができる。
【００２８】
また、本発明の請求項２にかかる太陽光発電装置によれば、発光体を容易に配置することができると同時に、風雨から防護できるので、発光体の交換が容易でかつ長寿命とすることができ、長期間にわたって屋外で用いることができる。
【００２９】
さらに、本発明の請求項３にかかる太陽光発電装置によれば、着色部材を容易に変更できるので、同じ太陽電池モジュールを多くの用途に用いることができる。さらに、昼間に発光体を点灯しない状態であっても外部からの反射光などによって表示を容易に認識できる。
【００３０】
また、本発明の請求項４にかかる太陽光発電装置によれば、太陽電池素子の有する色との違いが顕著になり、外部からの認識が容易となる。
【００３１】
また、本発明の請求項５にかかる太陽光発電装置によれば、着色部材のサイズを小さくすることができ、よりコンパクトな構成とすることができる。
【００３２】
そして本発明の請求項６にかかる太陽光発電装置によれば、凸レンズ状の着色部材によって、発光体から出射される光を集光させて、より強い光として発光輝度を向上させる効果や、発光体の視野角を広げる効果を持たせることができ、設置場所や条件に応じたカスタマイズが可能となる。
【００３３】
さらに本発明の請求項７あるいは請求項８にかかる太陽光発電装置によれば、用途に応じて発光体を配置する位置を変えることができ、装飾性、表示性を容易に付与することができる。
【００３４】
そして本発明の請求項９あるいは請求項１０にかかる太陽光発電装置によれば、その外観をさまざまな様相にし、装飾性や表示性を付与することができる。
【００３５】
また本発明の請求項１１にかかる太陽光発電装置によれば、太陽電池モジュールに強度が付与され、太陽電池モジュールのサイズが大きい場合にも、太陽電池モジュールが自重などでたわむことがない。
【００３６】
さらに本発明の請求項１２にかかる太陽光発電装置によれば、発光体はＬＥＤとしたので、低い電力かつ長寿命の発光体とすることができる。
【００３７】
そして本発明の請求項１３にかかる太陽光発電装置によれば、発光体から放射された光を効率的に集光し、極めて明るい光とすることができるので、遠いところから見たときの視認性をより高くすることができる。
【発明を実施するための最良の形態】
【００３８】
以下に、本発明にかかる太陽光発電装置の実施形態について、模式的に図示した図面に基づき詳細に説明する。
【００３９】
図１は本発明の太陽光発電装置の太陽電池モジュール１５を模式的に説明する概略の断面構造図であり、（ａ）は全体図、（ｂ）は（ａ）の図中のＸ部の拡大図である。以下、図１を用いながら、この太陽光発電装置を構成する太陽電池モジュール１５について述べる。
【００４０】
図１（ａ）に示すように、太陽電池モジュール１５は主にシリコンなどからなる太陽電池素子１６（１６ａ〜１６ｅ）を所定の枚数を直列および並列に接続してなり、任意の出力電圧、出力電流を得るようにしている。
【００４１】
本例においては、複数個の太陽電池素子１６（１６ａ〜１６ｅ）をマトリックス状に配列する。この太陽電池素子１６は単結晶や多結晶シリコンなどの結晶系太陽電池や、薄膜系太陽電池などにより構成する。
【００４２】
これらの太陽電池素子１６の受光面にはガラス板や合成樹脂板などの光透過板１７を配置し、他方の非受光面（裏面）には光透過性のある背面板１８を被着する。このような背面板１８としては、ガラス板や合成樹脂板などの光透過性のある素材を用いる。なお、テフロン（R)（デュポン社の登録商標）製のフィルムやＰＶＦ（ポリフッ化ビニル）、ＰＥＴ（ポレエチレンテレフタレート）などの耐候性フィルムのように可撓性のある素材を用いることも可能である。
【００４３】
そして、光透過板１７と背面板１８との間には、充填材１９として、例えばＥＶＡ（エチレン−酢酸ビニル共重合樹脂）などからなる透明な合成樹脂を介在させている。
【００４４】
このような構成の太陽電池モジュール１５において、さらに非受光面（裏面）側の背面板１８の外側には、ＡＢＳ樹脂やアルミニウム金属などからなるジャンクションボックス２０を接着している。そして、このジャンクションボックス２０を通して出力電力を取り出すようにターミナルとしている。
【００４５】
また、このような太陽電池モジュール１５は、通常、矩形状をなすが、その本体の周囲四方を挟み込む枠体２１を設け、そして、枠体２１で太陽電池モジュール１５の本体を支持し、全体の強度を向上させている。このような枠体２１は、例えばアルミニウム金属やＳＵＳなどにより構成される。
【００４６】
上述のように、太陽電池素子１６（１６ａ〜１６ｅ）は、所定の枚数を直列および並列に接続してなるが、所定の出力電力を得られるように直列および並列数を定める。そして、このように配列する場合、隣り合う太陽電池素子１６（１６ａ〜１６ｅ）同士の正極、負極の配線や短絡防止のために間隙２２が設けられる。例えば、太陽電池素子１６ａと太陽電池素子１６ｂとの間には間隙２２ａ、太陽電池素子１６ｂと太陽電池素子１６ｃとの間には間隙２２ｂ、太陽電池素子１６ｃと太陽電池素子１６ｄとの間には間隙２２ｃ、太陽電池素子１６ｄと太陽電池素子１６ｅとの間には間隙２２ｄが存在する。
【００４７】
ここで、図１（ｂ）の要部拡大図に示すように、本発明の太陽光発電装置では、このように複数個の太陽電池素子１６（１６ａ〜１６ｅ）を面状に並べた太陽電池モジュール１５において、これらの隣接する各太陽電池素子１６（１６ａ〜１６ｅ）の間となる非受光面側の背面板１８の部位に発光体２３を配置し、間隙（２２ａ〜２２ｄ）を通して、太陽電池モジュール１５の受光面の方向に向けて発光させるように構成され、その照射光路上に着色部材１４ａを介在させたことを特徴としている。
【００４８】
本例によれば、間隙２２ａに対応して発光体２３ａを、間隙２２ｂに対応して発光体２３ｂを、間隙２２ｃに対応して発光体２３ｃを、間隙２２ｄに対応して発光体２３ｄを配置する。これらの発光体２３（２３ａ〜２３ｅ）としては、例えば、ハロゲンランプやＬＥＤ（発光ダイオード）を用いることができる。
【００４９】
このような構成としたことにより、発光体２３から放射された光は、この着色部材１４ａを透過して着色され、外部からこの太陽電池モジュール１５に備えられた発光体２３を見たときに、着色部材１４ａの色を有する発光として認識することができ、高い装飾性を得ることができる。
【００５０】
これらの発光体２３は、このように背面板１８に対して、発光体取付部材２３１を介して、アクリル系両面接着テープや、アクリル系接着剤、シリコン系接着材（樹脂）などからなる接着部材によって背面板１８に取り付ける。その時、着色部材１４ａが発光体２３と背面板１８との間に介在するようにする。なお、この着色部材１４ａは図面上では直接、背面板１８に取り付けられているが、発光体２３や発光体取付部材２３１に取り付けても構わない。これらの接着材は、耐候性がよく、しかも後の取り外しが容易であるという点でよい。例えば、ＶＨＢテープ（３Ｍ社の登録商標）が好適である。
【００５１】
このように、発光体２３と着色部材１４ａとが太陽電池モジュール１５の裏面側に設けられているので、これらの発光体２３と着色部材１４ａとを容易に配置したり交換したりすることができ、通常、風雨から防護した状態で保つことができるので、長期間にわたって屋外で用いる用途に適している。さらに、このように発光体２３と着色部材１４ａとが太陽電池モジュール１５の裏面側に相互に接近して設けられている場合、着色部材１４ａのサイズは、発光体２３の発光部と同等程度とすればよいので、着色部材１４ａのサイズを小さくすることができ、よりコンパクトな構成とすることができる。
【００５２】
次に図２に本発明の太陽光発電装置の別の実施形態を示す。（ａ）は全体図、（ｂ）は（ａ）の図中のＹ部の拡大図である。基本的な構成は、図１と同様であるが、図１では、着色部材１４ａを発光体２３と背面板１８との間に介在させているのに対して、図２では、着色部材１４ｂを光透過板１７の外面上に設けているという違いがある。
【００５３】
このように、着色部材１４ｂを太陽電池モジュール１５の外面側に設けた場合、着色部材１４ｂの変更が容易となるので、必要に応じて着色部材１４ｂを交換すれば、太陽電池モジュール１５を様々な用途に用いることができる。さらに、昼間であれば、発光体２３を点灯しない状態であっても外部光などが反射することによって、着色部材１４ｂの部分を容易に認識できるので、表示性や装飾性を高めることができる。
【００５４】
なお、このように着色部材１４ｂを太陽電池モジュール１５の表面側に配置して用いる場合、着色部材１４ｂのサイズは、図２（ｂ）に示すように、発光体２３から出射された光が太陽電池素子１６同士の間隙を通過して、光透過板１７の表面に達したとき、光照射部よりも大きなサイズとすることが望ましい。
【００５５】
また図３の（ａ）、（ｂ）に本発明の太陽光発電装置のさらに別の実施形態を示す。図３（ａ）の基本的な構成は、図１と同様であるが、図３（ａ）では、着色部材１４ｃを凸状レンズの形態とした点が異なっている。また、図３（ｂ）の基本的な構成は、図２と同様であるが、図３（ｂ）では、着色部材１４ｄを凸状レンズの形態とした点が異なっている。
【００５６】
まず図３（ａ）の場合は、発光体２３から放射された光は、この凸状レンズの形状を有する着色部材１４ｃによって、より集光する方向に屈折され、光の強度が高くなる。その結果、外部からこの太陽電池モジュール１５に備えられた発光体２３を見たときに、離れたところからでも視認することが可能となるという効果が得られる。なお、この凸状レンズの形状を有する着色部材１４ｃの面の形状については、発光体２３から放射された光が、この着色部材１４ｃにおいて屈折されて、この着色部材１４ｃがないときと比べて、より多くの光が集光され、隣接する太陽電池素子１６同士の間隙２２を透過するように構成されていれば本発明の目的は達成され、特に限定されるものではない。例えば、球面の一部であってもよいし、また非球面であってもよい。
【００５７】
また図３（ｂ）の場合は、発光体２３から放射された光は、この凸状レンズの形状を有する着色部材１４ｄによって、光透過板１７と大気との境界面において、より広がる方向に屈折される。したがって、外部からこの太陽電池モジュール１５に備えられた発光体２３を見たときに、より広い領域の視野角で視認することが可能となるという効果が得られる。これは、例えば、ビルの採光用ガラスなどに用いられる光透過型太陽電池モジュールなどのように、強度が必要となるため、光透過板１７、背面板１８、充填材１９などを厚くして構成されるような場合、発光体２３から太陽電池素子１６までの距離が長くなり、太陽電池素子１６の間隙２２を抜けてきた発光体２３の放射光は、そのままでは狭い視野角となってしまう。ここで図３（ｂ）のような構成として、光透過板１７と大気との境界面において、より広い角度となるように屈折されるようにすれば、このような厚い光透過型の太陽電池モジュール１５であっても、より広い領域の視野角で視認することが可能となる。なお、この凸状レンズの形状を有する着色部材１４ｄの面の形状については、発光体２３から放射された光が、これらの着色部材１４ｄにおいて、より広がる方向に屈折されればよく、特に限定されるものではない。例えば、球面の一部であってもよいし、また非球面であってもよい。
【００５８】
また図４の（ａ）、（ｂ）に本発明の太陽光発電装置のさらに別の実施形態を示す。図４（ａ）、（ｂ）はいずれも発光体を太陽電池モジュールの内部に配置した場合の構造図である。なお、ここでは一例として凸状レンズの形状を有する着色部材１４ｄを太陽電池モジュール１５の光透過板１７上に備えた例を示すが、図２に示すようなレンズ形状ではない通常の着色部材１４ｂを用いても構わない。図４（ａ）は、複数の発光体２３を、太陽電池素子１６を並べた面と背面板１８との間に配置して、隣接する太陽電池素子１６の間隙２２を通して太陽電池モジュール１５の受光面の方向に向けて発光させるようにした例であり、図４（ｂ）は、複数の発光体２３を太陽電池素子１６の間隙に配置して、太陽電池モジュール１５の受光面の方向に向けて発光するようにした例である。このように、太陽電池モジュール１５の内部に発光体２３を配置するには、発光体２３を配線して、太陽電池素子１６の間隙２２に配置した状態で充填材１９により光透過板１７と背面板１８との間に充填し固定すればよい。そして、太陽電池モジュール１５の内部に発光体２３を配置すれば、本来、デッドスペースである間隙上の面積を発光体の設置場所として活用するとともに発電の妨げにならない設置空間を確保するという２つの利点を得ることができる。
【００５９】
さらに図５の（ａ）、（ｂ）に本発明の太陽光発電装置のさらに別の実施形態を示す。例えば、発光体２３がハロゲンランプなどのような無指向性の光源のときは、図５（ａ）に示すように、集光用の反射鏡２９を備えて、太陽電池モジュール１５の受光面の方向に集光させてやることが望ましく、この反射鏡２９と着色部材１４ａとの相乗効果により、発光体２３から放射された光をより一層効率的に集光し、さらに離れた場所から視認することを可能とすることができる。また、図５（ｂ）のように、着色部材１４ｅを太陽電池モジュール１５の内部に配置し、太陽電池素子１６の間隙２２の部分において発光体２３の照射光路上に介在させてもよい。このように太陽電池モジュール１５の内部に着色部材１４ｅを配置すれば、太陽電池素子１６とほぼ同一の面状か近接した箇所に配置されることとなるので、外部から見たときに相互の色との違いが顕著になり、外部からの認識が容易となる。その結果、例えば、昼間であれば、発光体２３を点灯しない状態であっても外部光などが反射することによって、着色部材１４ｅの部分を容易に認識できるので、表示性や装飾性を高めることができる。
【００６０】
上述の説明における着色部材１４（１４ａ〜１４ｅ）の材料としては、光透過性を有する材料を用いて構成する。例えば、ガラスの他、ポリカーボネート、アクリル、ＣＯＰ（シクロオレフィンポリマー）などの光透過性を有する樹脂材を用いることができる。そして、これらを着色するためには、例えば、ガラスの場合は、イオンやコロイド粒子によって着色することができる。例えば、ガラスにコバルト（ブルー）、クロム（青緑）、ニッケル（アンバー、パープル）、鉄（青緑）、マンガン（紫）、銅・金・セレン（いずれも赤）などを混入すれば、所望の色に着色することができ、銀コロイドなどを分散させれば茶色に着色させることができる。さらに、例えば、特許文献４に示すように、ガラスの表面をカチオン化剤によって表面改質すればアニオン染料によって染色することも可能である。また、顔料や染料を分散させたコーティング液、例えば、ポリシロキサンや透光性樹脂などをガラスの表面に塗布して硬化させてもよい。
【００６１】
また、樹脂の場合も同様に、樹脂自体に顔料や染料を分散させればよく、可撓性に富む色セロハンのような材料を用いてもよい。なお、色セロハンを用いて着色部材１４を構成した場合は、耐候性が低いので、図１に示したように、太陽電池モジュール１５によって覆い隠されるような構成とすることが望ましい。
【００６２】
なお、図５（ｂ）のように着色部材１４ｅを太陽電池モジュール１５の内部に配置する場合は、太陽電池モジュール１５を製造する際、各部材をラミネートするときに温度と圧力がかかることからガラスによって形成することが望ましい。
【００６３】
着色部材１４を太陽電池モジュール１５に配置するための方法としては、機械的に挟みこんだり、光透過板１７や背面板１８に透光性を有する接着剤によって貼り付けたりすればよい。なお、接着剤を用いる場合、少なくとも光を透過する部分が透明であればよく、光透過に関与しない部分、例えば着色部材１４の周囲の部分などについては、機械的に挟持したり、光不透過性の接着剤を用いて対象物に固着させたりしても構わない。なお、透光性接着剤としては、例えば、アクリル系の透光性接着剤を用いることができ、空気と接触して硬化するタイプのものや紫外線を照射することにより硬化するタイプのものを好適に用いることができる。図６に着色部材１４を太陽電池モジュール１５上に貼り付けて形成した例の斜視図を示す。
【００６４】
その他、着色した接着剤を太陽電池モジュール１５の部材、例えば、光透過板１７や背面板１８における発光体２３の照射光路に該当する位置に、印刷やディスペンサーなどによって塗布・乾燥・硬化させて、着色部材１４を構成しても本発明の効果を良好に奏する。
【００６５】
次に、本発明の太陽光発電装置における太陽電池モジュール１５において、太陽電池素子１６および発光体２３の配置の方法について説明する。
【００６６】
図７（ａ）は太陽電池モジュール１５において、本発明における発光体の取り付け可能な領域（同図中、斜線部分で示す）を示す上面図である。図７（ａ）に示すように、複数個の太陽電池素子１６（１６ａ〜１６ｅ）をマトリックス状に配列し、枠体２１で囲うように構成した太陽電池モジュール１５とすれば、図７（ａ）の斜線部分、すなわち格子状となった間隙２２の部分に発光体２３を配置することによって、良好に本発明の目的を達成することができる。
【００６７】
このように、表示や装飾を行うための発光体２３について、その発光の背面に非発光の太陽電池素子１６（１６ａ〜１６ｅ）が配置されているので、発光体２３のコントラストが相対的に高くなり、良好な視認性が得られる。とくに青色や濃青色の太陽電池素子１６を、その発光の背面に配置した構成にすれば、その発光体２３を顕著に視認することができる。
【００６８】
また、太陽電池素子１６と枠体２１と間にも間隙２２を設けた構成の太陽電池モジュール１５においては、そのような間隙２２に対しても発光体２３を配置し、これによって、さらに表示性や装飾性を高めてもよい。
【００６９】
さらに、本発明においては、上記のような間隙２２によれば、発光体２３を配置した部位以外の領域においては、太陽電池モジュールの裏側が屋根などで遮光されているので、間隙２２は影になるので暗く、例えば灰色や黒っぽい色になる傾向にあり、このような領域と比べて発光体２３のコントラストが顕著になるので、昼間など外来光が存在する場合にも発光体を良好に視認することができる。
【００７０】
図７（ｂ）は本発明の太陽光発電装置の太陽電池モジュール１５において、外来光が太陽電池素子で遮られる様子を説明する一部透視図である。同図は図７（ａ）に示す切断面線Ａ−Ａによる断面図である。
【００７１】
外来光の光路を示す図７（ｂ）によれば、矢印（破線）で示した外来光は光透過板１７を通過した後、太陽電池素子１６により遮られ、間隙２２の下にまで光が到達しにくくなる。これにより、間隙２２によって発光体２３の前面に周囲よりも暗い部分を作り出し、その結果、コントラストが生じ、発光体２３の発する光をより明るく視認させることができる。
【００７２】
以上のとおり、昼間などの外来光がある場合、発光体２３だけであれば、その発光を視認することが難しいが、本発明のように発光体２３の前方に遮光物、すなわち本発明における太陽電池素子１６を配するので、発光体２３の発光が顕著になる。よって、発光体２３の数量を増やすこともなく、明るさを向上させ、これによって部品点数が削減でき、消費電力の低減化がはかられる。
【００７３】
なお参考までに、もし発光体２３の前方に遮光物がないとすれば、通常ＬＥＤや電球などの発光体が発光した光を外部に効率よく取り出すために、その発光体の周りに透明もしくは透光性のガラス材や樹脂材などで作製したカバーを設けることが考えられる。しかしながら、昼間の太陽光の光などを受けた場合には、発光体が太陽光で照らされ、発光体の発光と周囲の明るさとの差が少なくなる。その結果、コントラストが低くなるばかりか、ＬＥＤなどのように構造上発光部に反射鏡面を有するものでは、ＬＥＤの発光輝度よりも輝度の高い太陽光（散乱光を含む）も反射させることになり、より一層視認性が低下してしまう問題がある。
【００７４】
つぎに図８を用いて太陽光発電装置の発光体２３への配線方法を説明する。同図においては、図１４に示すように、住宅１の屋根などに本発明の太陽光発電装置を配置した場合について説明する。
【００７５】
太陽電池モジュール１５（１５ａ〜１５ｄ）を有する太陽光発電装置では、家屋の屋根上からジャンクションボックス６に引き回される送電ケーブル２４（２４ａ〜２４ｄ）やジャンクションボックス６と系統連系インバータ７とを接続する送電ケーブル２５とは別に、さらに発光体２３に電力を供給する送電線２６を設ける。具体的には商用電力系統２７からの交流電力を点灯制御回路２８に送り、さらに点灯制御回路２８から発光体２３を点灯（もしくは点滅）させる電力を送電線２６で送るものである。
【００７６】
このような構成によれば、発光体２３への電力供給に対し、専用の電力線を使用しているので、発光体２３は直流による駆動でも、あるいは交流による駆動でもよい。したがって、発光体２３を電球からＬＥＤに変更や、その逆への変更を容易に行うことができる。
【００７７】
なお、本例では商用電力系統２７から電力を取っているが、この商用電力系統に代えて、バッテリーや燃料電池などの直流電力源、もしくは昼間の発光であれば、太陽電池の発電電力から電力を取るようにしてもよい。
【００７８】
なお、本発明の実施形態は上述の例にのみ限定されるものではなく、本発明の要旨を逸脱しない範囲内において種々変更を加え得ることはもちろんである。
【００７９】
例えば、図１、図３（ａ）、図５（ａ）などでは、太陽電池モジュール１５の非受光面側に発光体２３と着色部材１４を備えた例であり、発光体２３、着色部材１４、発光体取付部材２３１、反射鏡２９などの光学部材をそれぞれ別々に作製した後に、組み立てて本発明にかかる太陽電池装置を構成するようにしたが、これらを一体化させて光学ユニットとしても構わない。このようにユニット化することによって、取り扱いが簡単になり、太陽電池モジュール１５の必要な部位に本発明の発光体および着色部材を極めて簡単に配設することができるという利点がある。さらに、着色部材１４が凸状レンズの形状を有するときには、着色部材・発光体・反射鏡などの光学部材の光学的な位置をあらかじめ合わせておくことができるので、組み立ての際に位置合わせする手間が省けるという利点もある。
【００８０】
また、図１、図３（ａ）、図５（ａ）などのように、太陽電池モジュール１５の非受光面側に発光体２３を備えた場合、背面板１８は全面、光透過性の部材を用いた例によって説明したが、これに限るものではなく、発光体２３から放射された光の照射経路に対応する部分のみ光透過性としておいてもよい。これによって背面板１８の意図しない箇所から外部への光の漏れを抑えることができ、特に夜間の発光時に効果的である。さらに、昼間などにおいては、背面板１８の意図しない箇所から光が侵入して太陽電池モジュール１５の内部において迷光が発生し、発光体２３と太陽電池素子１６との間のコントラストを下げてしまうことを防止することができる。
【００８１】
さらに、着色部材１４の表面を粗くしたり、着色部材１４の内部に、光拡散性の材料を分散させるなどして、着色部材１４によって、発光体２３からの光が散乱されるようにしてもよい。この場合、散乱光によって、着色部材１４のほぼ全体が発光するようになるので、外部からの視認性が極めて高くなる。例えば、太陽電池モジュール１５の受光面上に着色部材１４を配置すれば、視野角が極めて高くなり、ほぼ全方位から着色部材１４の存在を視認することができる。
【実施例】
【００８２】
以下、本発明の実施例について説明する。実施例１〜５は、上述の構成により作製した応用例である。
【００８３】
上述で説明した構成にしたがい、複数個の太陽電池素子１６をマトリックス状に配列した太陽電池モジュール１５を用いて、本発明の太陽光発電装置を構成した。光透過板１７の材質は３．２ｍｍ厚の白板ガラス、背面板１８の材質は２．１ｍｍ厚の白板ガラスをそれぞれ用いた。さらに実施例１では反射鏡２９を備えた無指向性の発光体３０であるハロゲンランプを用い、実施例２〜５では発光体２３としてＬＥＤを用いた。
【００８４】
各実施例はいずれも背面板１８に発光体２３を備えた構成とし、その照射光路に相当する位置に、金属イオンによって着色した透光性を有する着色ガラスもしくは顔料を分散させたポリカーボネート樹脂よりなる着色部材１４をアクリル系の透光性接着剤によって貼り付け、本発明にかかる構造を有する太陽光発電装置を作製した。なお、各実施例において、着色部材１４を配置する位置としては、実施例１は図５（ａ）、実施例２は図３（ｂ）、実施例３は図１、実施例４は図２、実施例５は図５（ｂ）の構成をそれぞれ用いて作製した。
【００８５】
これらの実施例の太陽光発電装置の正面図を図９〜図１３に示す。
【００８６】
（実施例１）本例を図９に示す。同図は本発明の太陽光発電装置を一枚の太陽電池モジュール１５ｅによって構成し、そして、一枚の太陽電池モジュール中に複数の文字や数字を７セグメントなどの表示方法で表示させるものである。
【００８７】
この太陽光発電装置（太陽電池モジュール１５ｅ）は、複数個の太陽電池素子１６をマトリックス状に配列し、枠体２１で太陽電池モジュール１５ｅの本体を支持している。これらの太陽電池素子１６の間隙２２に該当する背面板１８の位置に、無指向性のハロゲンランプの発光体３０および反射鏡２９、発光体取付部材２３１、凸状レンズのポリカーボネート製の着色部材１４ｃをそれぞれ配列して、図５（ａ）に示した本発明の構成となるようにし、日時を表示するように点灯させた。
【００８８】
この太陽電池モジュール１５ｅの上段に日付「１２日」を着色部材１４ｃによって緑色で、下段に時間「１９：００」を着色部材１４ｃによって黄色で表示させた。これらの表記には、７セグメントなどの表示方法にしたがって発光体を配置し、本例によれば、黒点で発光体３０の発光を示す。なお、間隙２２には、これらの黒点で点灯した発光体３０を示すが、これら以外にも非点灯の発光体３０（明記せず）が配列されている。
【００８９】
このように本発明の太陽光発電装置によれば、７セグメント表示の発光体３０に対し、発光体３０から隣接する太陽電池素子１６の間隙２２を通して、太陽電池モジュール１５ｅの受光面の方向に向けて発光させ、その照射光路上に凸状レンズの形状を有する着色部材１４ｃを介在させるようにしたので、外部からこの発光体３０を見たときに、光が非常に美しく着色して、高い装飾性を有するものとなった。同時に、凸状レンズ形状を有する着色部材１４ｃの集光効果と、反射鏡２９による高輝度の無指向性ハロゲンランプの発光体３０による集光効果との相乗効果によって、極めて離れたところから、はっきりと視認することができた。
【００９０】
なお、本例では枠体２１を有する太陽電池モジュールとしているが、枠体２１ではなく、支持部材に固定カバーなどで固定される取り付け構造としてもよい。
【００９１】
（実施例２）本例を図１０に示す。同図に示す太陽光発電装置によれば、複数の太陽電池モジュール１５ｆを配列し、それぞれの太陽電池モジュール１５ｆで、個々の文字や数字、アルファベットなどを表記する。
【００９２】
本例においては、４枚の太陽電池モジュール１５ｆによって構成し、そして、「ＫＯＢＥ」と表記した場合である。この太陽光発電装置（太陽電池モジュール１５ｆ）は、複数個の太陽電池素子１６をマトリックス状に配列した太陽電池モジュール１５ｆを、４個配列し、それぞれの太陽電池モジュール１５ｆに対し、表示文字に対応して発光体２３の配置部位を固定している。さらに、これらの太陽電池素子１６の間隙２２に該当する太陽電池モジュール１５ｆの非受光面の背面板１８の位置にＬＥＤの発光体２３を、受光面の光透過板１７の位置に、凸状レンズのポリカーボネート製の着色部材１４ｄをそれぞれ配列することによって、図３（ｂ）に示した本発明の構成となるようにし、「ＫＯＢＥ」の文字を上半分が緑色、下半分が黄色で表示するように点灯させた。
【００９３】
このように本発明の太陽光発電装置によれば、表示文字に対応して配置した発光体２３に対し、発光体２３から隣接する太陽電池素子１６の間隙２２を通して、太陽電池モジュール１５ｆの受光面の方向に向けて発光させ、その照射光路上に凸状レンズの形状を有する着色部材１４ｄを介在させるようにしたので、外部からこの発光体２３を見たときに、光が非常に美しく着色して、高い装飾性を有するものとなった。また同時に、凸状レンズ形状を有する着色部材１４ｄの光拡散効果によって、より広い視野角を有するようになり、斜めからでも、はっきりと視認することができた。さらに、着色部材１４ｄが太陽電池モジュール１５の表側に存在しており、昼間、発光体２３を点灯させない状態でも、青色や黒色の太陽電池素子１６に対して、着色部材１４ｄの色彩は大きなコントラストを有しており、太陽光などを反射して、はっきりと視認することが可能であった。
【００９４】
（実施例３）本例を図１１に示す。同図に示す太陽光発電装置によれば、複数の太陽電池モジュール１５ｇを配列し、これらによって一つの文字や数字、アルファベットなどを表記する。
【００９５】
この太陽光発電装置（太陽電池モジュール１５ｇ）は、複数個の太陽電池素子１６をマトリックス状に配列した２枚の太陽電池モジュール１５ｇによって構成し、そして、「京」と表記した場合である。なお、表示文字に対応して発光体２３の配置部位を固定している。さらに、これらの太陽電池素子１６の間隙２２に該当する背面板１８の位置に、ＬＥＤの発光体２３、発光体取付部材２３１、イオンによって着色したガラス製の着色部材１４ａをそれぞれ配列して、図１に示した本発明の構成となるようにし、「京」の文字を青色で表示するように点灯させた。
【００９６】
このように本発明の太陽光発電装置によれば、表示文字に対応して配置した発光体２３に対し、発光体２３から隣接する太陽電池素子１６の間隙２２を通して、太陽電池モジュール１５ｇの受光面の方向に向けて発光させ、その照射光路上に着色部材１４ａを介在させるようにしたので、外部からこの発光体２３を見たときに、光が非常に美しく着色して、高い装飾性を有するものとなった。
【００９７】
本例の太陽光発電装置においては、複数の太陽電池モジュール１５ｇに跨って１文字を表示しているので、複雑な漢字などの表示が容易になる。
【００９８】
また、本例では枠体を廃し、支持部材に固定カバーなどで固定される取り付け構造としたが、このような構造にしたので、複数の太陽電池モジュールの文字が連続して見え、文章を作るのに好適である。
【００９９】
（実施例４）上述した実施例１〜実施例３の太陽光発電装置においては、矩形状の太陽電池モジュールを用いたが、これに代えて三角形状の太陽電池モジュールを用いた太陽光発電装置を図１２によって説明する。
【０１００】
同図に示す太陽光発電装置によれば、一個の三角形状の太陽電池モジュール１５ｈに対し、その内部に複数個の太陽電池素子１６をマトリックス状に配列し、さらに、枠体２１で太陽電池モジュール１５ｈの本体を支持している。なお、同図において、発光体２３の配置部位は省略するが、図２に示した本発明の構成となるように、これらの太陽電池素子１６の間隙２２に該当する太陽電池モジュール１５ｈの非受光面の背面板１８の位置にＬＥＤの発光体２３を、受光面の光透過板１７の位置に、イオンによって着色したガラス製の着色部材１４ｂをそれぞれ配列した。
【０１０１】
このように本発明の太陽光発電装置によれば、表示性や装飾性のある発光体２３に対し、発光体２３から隣接する太陽電池素子１６の間隙２２を通して、太陽電池モジュール１５ｈの受光面の方向に向けて発光させ、その照射光路上に着色部材１４ｂを介在させるようにしたので、外部からこの発光体２３を見たときに、光が非常に美しく着色して、高い装飾性を有するものとなった。さらに、着色部材１４ｂが太陽電池モジュール１５の表側に存在しており、昼間、発光体２３を点灯させない状態でも、青色や黒色の太陽電池素子１６に対して、着色部材１４ｂの色彩は大きなコントラストを有しており、太陽光などを反射して、はっきりと視認することが可能であった。
【０１０２】
また、本例の太陽光発電装置においては、三角形状の太陽電池モジュール１５ｈを用いたので、その表示性能が高くなり、装飾性が向上し、さまざまな機能に適用できた。
【０１０３】
（実施例５）上述した実施例１〜実施例３の太陽光発電装置においては、矩形状の太陽電池モジュールを用いたが、これに代えて円形状の太陽電池モジュールを用いた太陽光発電装置を図１３によって説明する。
【０１０４】
同図に示す太陽光発電装置によれば、一個の円形状の太陽電池モジュール１５ｉに対し、その内部に複数個の太陽電池素子１６をマトリックス状に配列し、さらに、枠体２１で太陽電池モジュール１５ｉの本体を支持している。なお、同図において、発光体２３の配置部位は省略するが、図５（ｂ）に示した本発明の構成となるように、これらの太陽電池素子１６の間隙２２にイオンによって着色したガラス製の着色部材１４ｅを配置した状態で太陽電池モジュール１５ｉを作製し、この着色部材１４ｅを配置した位置に合わせて、太陽電池モジュール１５ｉの非受光面の背面板１８の位置にＬＥＤの発光体２３を配置した。
【０１０５】
このように本発明の太陽光発電装置によれば、表示性や装飾性のある発光体２３に対し、発光体２３から隣接する太陽電池素子１６の間隙２２を通して、太陽電池モジュール１５ｉの受光面の方向に向けて発光させ、その照射光路上に着色部材１４ｅを介在させるようにしたので、外部からこの発光体２３を見たときに、光が非常に美しく着色して、高い装飾性を有するものとなった。さらに、着色部材１４ｅが太陽電池モジュール１５の内部の太陽電池素子１６とほぼ同一面かその近傍に存在しており、昼間、発光体２３を点灯させない状態でも、青色や黒色の太陽電池素子１６に対して、着色部材１４ｅの色彩は大きなコントラストを有しており、太陽光などを反射して、はっきりと視認することが可能であった。
【０１０６】
また、本例の太陽光発電装置においては、円形状の太陽電池モジュール１５ｉを用いたので、その表示性能が高くなり、装飾性が向上し、さまざまな機能に適用できた。
【０１０７】
なお、本発明は上記実施例に限定されるものではなく、本発明の要旨を逸脱しない範囲内で種々の変更や改良などはなんら差し支えない。
【０１０８】
例えば、上述の説明では太陽電池素子１６を、青色や濃青色の場合によって説明したが、これに限るものではなく、茶色、赤色、紺色、黒色、灰色、緑色、金色、紫色、赤紫色などを呈した太陽電池素子１６を用いても本発明の作用効果を奏する。
【０１０９】
また、例えば実施例４の太陽光発電装置においては、三角形状の太陽電池モジュールを用いたが、これに代えて台形状もしくは多角形状にしてもよい。
【０１１０】
また、例えば実施例５の太陽光発電装置においては、円形状の太陽電池モジュールを用いたが、これに代えて楕円形状にしてもよい。
【０１１１】
さらにまた、実施例１〜実施例４の太陽光発電装置においては、太陽電池素子１６をマトリックス状に配列したが、これに代えて千鳥状に配列してもよい。そして、実施例５の太陽光発電装置においては、太陽電池素子１６を千鳥状に配列したが、これに代えてマトリックス状に配列してもよい。
【図面の簡単な説明】
【０１１２】
【図１】本発明の太陽光発電装置にかかる太陽電池モジュールを模式的に説明する概略の断面構造図であり、（ａ）は全体図、（ｂ）は（ａ）の要部Ｘの拡大図である。
【図２】本発明の太陽光発電装置にかかる別の太陽電池モジュールを模式的に説明する概略の断面構造図であり、（ａ）は全体図、（ｂ）は（ａ）の要部Ｙの拡大図である。
【図３】（ａ）、（ｂ）は、本発明の太陽光発電装置にかかる別の太陽電池モジュールの断面構造の要部拡大図である。
【図４】（ａ）、（ｂ）は、本発明の太陽光発電装置にかかる別の太陽電池モジュールの断面構造の要部拡大図である。
【図５】（ａ）、（ｂ）は、本発明の太陽光発電装置にかかる別の太陽電池モジュールの断面構造の要部拡大図である。
【図６】本発明の太陽光発電装置にかかる太陽電池モジュールの斜視図である。
【図７】（ａ）は、本発明の太陽光発電装置にかかる太陽電池モジュールにおいて、発光体の取り付け可能な領域を示す上面図であり、（ｂ）は（ａ）において、切断面線Ａ−Ａによる断面図である。
【図８】本発明の太陽光発電装置にかかる発光体への配線を説明する配線図である。
【図９】本発明の太陽光発電装置にかかる太陽電池モジュールにおける表示例を示す正面図である。
【図１０】本発明の太陽光発電装置にかかる太陽電池モジュールにおける他の表示例を示す正面図である。
【図１１】本発明の太陽光発電装置にかかる太陽電池モジュールにおける、さらに他の表示例を示す正面図である。
【図１２】本発明の太陽光発電装置にかかる太陽電池モジュールにおいて、三角形状の太陽電池モジュールを示す正面図である。
【図１３】本発明の太陽光発電装置にかかる太陽電池モジュールにおいて、円形状の太陽電池モジュールを示す正面図である。
【図１４】住宅の屋根に本発明の太陽光発電装置を配置した斜視図である。
【図１５】従来の太陽光発電装置にかかる太陽電池モジュールの概略の構造断面図である。
【図１６】従来の他の太陽光発電装置にかかる太陽電池モジュールの概略の構造断面図である。
【符号の説明】
【０１１３】
１：住宅
２：太陽光発電装置
３：太陽電池アレイ
４：太陽電池モジュール
５：送電ケーブル
６：ジャンクションボックス
７：系統連系インバータ
８：太陽電池素子
９：光透過板
１０：耐候性フィルム
１１：枠体
１２：ジャンクションボックス
１３：太陽電池モジュール
１４、１４ａ〜１４ｅ：着色部材
１５、１５ａ〜１５ｉ：太陽電池モジュール
１６、１６ａ〜１６ｅ：太陽電池素子
１７：光透過板
１８：背面板
１９：充填材
２０：ジャンクションボックス
２１：枠体
２２、２２ａ〜２２ｄ：間隙
２３、２３ａ〜２３ｄ：発光体
２３１：発光体取付部材
２４、２５：送電ケーブル
２６：送電線
２７：商用電力系統
２８：点灯制御回路
２９：反射鏡
３０：発光体（無指向性）
【図１】
2005116833.tif 000003
【図２】
2005116833.tif 000004
【図３】
2005116833.tif 000005
【図４】
2005116833.tif 000006
【図５】
2005116833.tif 000007
【図６】
2005116833.tif 000008
【図７】
2005116833.tif 000009
【図８】
2005116833.tif 000010
【図９】
2005116833.tif 000011
【図１０】
2005116833.tif 000012
【図１１】
2005116833.tif 000013
【図１２】
2005116833.tif 000014
【図１３】
2005116833.tif 000015
【図１４】
2005116833.tif 000016
【図１５】
2005116833.tif 000017
【図１６】
2005116833.tif 000018